(57)【要約】【課題】装着が容易であり、優れたフィット感が得られ、しかもスイング中にベルトが剥がれにくいゴルフ用手袋２の提供。【解決手段】手袋２の甲部８は、インサイド部１４、アウトサイド部１６、切れ込み１８、第一ベルト１２及び第二ベルト２０を有している。第一ベルト１２は、アウトサイド部１６と掌部６との境界２２に連結されている。第二ベルト２０は、アウトサイド部１６に連結されている。インサイド部１４は、その表側面に第一ファスナー片２６を有している。第一ベルト１２は、その裏側面に第二ファスナー片を有し、かつその表側に第三ファスナー片３２を有している。第二ベルト２０は、その裏側面に第四ファスナー片３６を有している。第一ファスナー片２６と第二ファスナー片とは係合可能であり、第三ファスナー片３２と第四ファスナー片３６とは係合可能であり、第四ファスナー片３６と第一ファスナー片２６とは係合可能である。【選択図】図２
2017196275.tif 000002
【特許請求の範囲】
【請求項１】
指部、掌部及び甲部を備えており、
上記甲部が、インサイド部、アウトサイド部、上記インサイド部と上記アウトサイド部との境界に位置する切れ込み、上記アウトサイド部又は上記掌部に連結された第一ベルト、及び上記アウトサイド部に連結された第二ベルトを有しており、
上記インサイド部が、その表側面に第一ファスナー片を有しており、
上記第一ベルトが、その裏側面に第二ファスナー片を有し、かつその表側に第三ファスナー片を有しており、
上記第二ベルトが、その裏側面に第四ファスナー片を有しており、
上記第一ファスナー片と上記第二ファスナー片とが係合可能であり、
上記第三ファスナー片と上記第四ファスナー片とが係合可能であり、
上記第四ファスナー片と上記第一ファスナー片とが係合可能であるゴルフ用手袋。
【請求項２】
上記第一ファスナー片が上記第二ファスナー片よりも大きく、
上記第四ファスナー片が上記第三ファスナー片よりも大きく、
上記第一ファスナー片と上記第二ファスナー片とが係合した状態において、上記第四ファスナー片が、上記第一ファスナー片及び上記第三ファスナー片の両方に係合可能である請求項１に記載のゴルフ用手袋。
【請求項３】
上記第一ベルトの位置が、上記第二ベルトの位置よりもリスト寄りである請求項１又は２に記載のゴルフ用手袋。
【請求項４】
上記第一ベルトが、上記アウトサイド部と上記掌部との境界に連結されている請求項１から３のいずれかに記載のゴルフ用手袋。
【請求項５】
上記第一ベルトが、上記第二ファスナー片及び上記第三ファスナー片が接合されたベースを有しており、
上記ベースが伸縮性素材から形成されている請求項１から４のいずれかに記載のゴルフ用手袋。
【発明の詳細な説明】
【技術分野】
【０００１】
本発明は、ゴルフプレーヤーに着用される手袋に関する。
【背景技術】
【０００２】
ゴルフクラブのグリップは、一般的には、ゴム又はエラストマーから成形されている。ゴルフプレーヤーは、グリップを、手で把持する。スイング時の、このグリップとの摩擦により、手に肉刺ができることがある。肉刺の抑制の目的で、ゴルフプレーヤーは手袋を着用する。手袋は、手とグリップとのスリップを抑制する。手袋はさらに、手の日焼けを防止する。
【０００３】
プレーヤーは、手袋に手を出し入れする。出し入れの容易の観点から、手袋の開口は緩く形成されている。甲部に切れ込みが形成され、この切れ込みによって甲部にインサイド部及びアウトサイド部が形成されることで、緩い開口が達成されている。
【０００４】
一方、スイングのときは、手袋が手にフィットする必要がある。一般的なゴルフ用手袋は、１つのベルトを有している。この手袋は、「シングルベルトタイプ」と称されている。ベルトは、甲部のアウトサイド部に取り付けられている。プレーヤーはこのベルトを引っ張り、面ファスナーでインサイド部に固定する。このベルトにより、締め付け感が達成される。締め付け感は、正確なスイングに寄与する。
【０００５】
シングルベルトタイプでは、ベルトによる締め付けが局部的なので、十分なフィット感が得られにくい。フィット感の欠如は、正確なスイングを妨げる。
【０００６】
２つのベルトを有するゴルフ用手袋も、市販されている。この手袋は、「ダブルベルトタイプ」と称されている。この手袋では、第一ベルトはインサイド部からアウトサイド部に向かって巻かれ、第二ベルトはアウトサイド部からインサイド部に向かって巻かれる。この巻き方は、「クロス巻き」と称されている。このベルトでは、優れたフィット感が達成される。しかし、この手袋を装着する動作は、手間である。特に、インサイド部からアウトサイド部に向かってベルトを巻く動作は、煩わしい。
【０００７】
特開２００７−２３４１３公報には、２つのベルトを有するゴルフ用手袋が開示されている。この手袋は、「ダブルベルトタイプ」である。このベルトでは、ダブルベルトにより、優れたフィット感が達成される。この手袋では、第一ベルトはアウトサイド部からインサイド部に向かって巻かれ、第二ベルトもアウトサイド部からインサイド部に向かって巻かれる。第二ベルトは、第一ベルトの上に巻かれる。この巻き方は、「重ね巻き」と称されている。この手袋を装着する動作は、容易である。
【先行技術文献】
【特許文献】
【０００８】
【特許文献１】特開２００７−２３４１３公報
【発明の概要】
【発明が解決しようとする課題】
【０００９】
特開２００７−２３４１３公報に開示された手袋では、第二ベルトは、インサイド部のみと係合する。第二ベルトは、第一ベルトとは係合しない。従って、この第二ベルトは、スイング中にインサイド部から剥がれやすい。
【００１０】
本発明の目的は、装着が容易であり、優れたフィット感が得られ、しかもスイング中にベルトが剥がれにくいゴルフ用手袋の提供にある。
【課題を解決するための手段】
【００１１】
本発明に係るゴルフ用手袋は、指部、掌部及び甲部を備える。この甲部は、インサイド部、アウトサイド部、インサイド部とアウトサイド部との境界に位置する切れ込み、アウトサイド部又は掌部に連結された第一ベルト、及びアウトサイド部に連結された第二ベルトを有する。インサイド部は、その表側面に第一ファスナー片を有する。第一ベルトは、その裏側面に第二ファスナー片を有し、かつその表側に第三ファスナー片を有する。第二ベルトは、その裏側面に第四ファスナー片を有する。第一ファスナー片と第二ファスナー片とは、係合可能である。第三ファスナー片と第四ファスナー片とは、係合可能である。第四ファスナー片と第一ファスナー片とは、係合可能である。
【００１２】
好ましくは、第一ファスナー片は第二ファスナー片よりも大きく、第四ファスナー片は第三ファスナー片よりも大きい。第一ファスナー片と第二ファスナー片とが係合した状態において、第四ファスナー片は、第一ファスナー片及び第三ファスナー片の両方に係合可能である。
【００１３】
好ましくは、第一ベルトの位置は、第二ベルトの位置よりもリスト寄りである。
【００１４】
好ましくは、第一ベルトは、アウトサイド部と掌部との境界に連結される。
【００１５】
第一ベルトが、第二ファスナー片及び第三ファスナー片が接合されたベースを有してもよい。好ましくは、このベースは、伸縮性素材から形成される。
【発明の効果】
【００１６】
本発明に係るゴルフ用手袋は、いわゆるダブルベルトタイプなので、フィット感に優れる。この手袋では２つのベルトが同じ方向に巻かれるので、装着が容易である。この手袋は、４つのファスナー片により、スイング中のベルトの剥離が抑制される。
【図面の簡単な説明】
【００１７】
【図１】図１は、本発明の一実施形態に係る手袋が示された側面図である。
【図２】図２は、図１の手袋が示された正面図である。
【図３】図３は、図２の手袋が示された正面図である。
【図４】図４は、図２の手袋のインサイド部の一部が示された拡大断面図である。
【図５】図５は、図２の手袋の第一ベルト部の一部が示された拡大断面図である。
【図６】図６は、図２の手袋の第二ベルト部の一部が示された拡大断面図である。
【図７】図７は、図２の手袋の装着の過程が示された正面図である。
【図８】図８は、図２の手袋の装着状態が示された正面図である。
【図９】図９は、図８の手袋の一部が示された拡大断面図である。
【発明を実施するための形態】
【００１８】
以下、適宜図面が参照されつつ、好ましい実施形態に基づいて本発明が詳細に説明される。
【００１９】
図１に示されたゴルフ用手袋２は、指部４、掌部６及び甲部８を有している。指部４は、親指部４ａ、人差し指部４ｂ、中指部４ｃ、薬指部４ｄ及び小指部４ｅを有している。この手袋２の主要な材質として、合成皮革、天然皮革、人工皮革及び合成繊維が例示される。この手袋２は、局部的に、ニット（典型的にはトリコット）からなる部位１０（図２等も併せて参照）を有している。この手袋２は、左手に着用される。右手に着用される手袋は、図１に示された手袋２の形状がミラー反転した形状を有する。
【００２０】
図２及び３は、図１の手袋２が示された正面図である。図３では、第一ベルト１２（後に詳説）が開かれた状態が示されている。図２及び３において、右側は手袋２のインサイドであり、左側は手袋２のアウトサイドである。図２及び３に示されるように、甲部８は、インサイド部１４、アウトサイド部１６（図８も併せて参照）、切れ込み１８、第一ベルト１２及び第二ベルト２０を有している。切れ込み１８は、インサイド部１４とアウトサイド部１６との境界に位置している。第一ベルト１２は、アウトサイド部１６と掌部６との境界２２に連結されている。この境界２２は、切れ込み１８よりもアウトサイド寄りに位置している。第一ベルト１２が、アウトサイド部１６に連結されてもよい。第一ベルト１２が、切れ込み１８よりもアウトサイド寄りにおいて掌部６に連結されてもよい。第二ベルト２０は、アウトサイド部１６に連結されている。
【００２１】
図４は、図２の手袋２のインサイド部１４の一部が示された拡大断面図である。図４において、上側が表側であり、下側が裏側である。インサイド部１４は、ベース２４と第一ファスナー片２６とを有している。第一ファスナー片２６は、ベース２４の表側に位置している。第一ファスナー片２６はベース２４に積層されており、このベース２４に接合されている。典型的な接合方法は、縫合である。第一ファスナー片２６は、面ファスナーのフック面（雄）である。
【００２２】
図５は、図２の手袋２の第一ベルト１２部の一部が示された拡大断面図である。図５において、上側が表側であり、下側が裏側である。第一ベルト１２は、ベース２８、第二ファスナー片３０及び第三ファスナー片３２を有している。第二ファスナー片３０は、ベース２８の裏側に位置している。第二ファスナー片３０はベース２８に積層されており、このベース２８に接合されている。典型的な接合方法は、縫合である。第二ファスナー片３０は、面ファスナーのループ面（雌）である。第三ファスナー片３２は、ベース２８の表側に位置している。第三ファスナー片３２はベース２８に積層されており、このベース２８に接合されている。典型的な接合方法は、縫合である。第三ファスナー片３２は、面ファスナーのフック面（雄）である。
【００２３】
図６は、図２の手袋２の第二ベルト２０部の一部が示された拡大断面図である。図６において、上側が表側であり、下側が裏側である。第二ベルト２０は、ベース３４及び第四ファスナー片３６を有している。第四ファスナー片３６は、ベース３４の裏側に位置している。第四ファスナー片３６はベース３４に積層されており、このベース３４に接合されている。典型的な接合方法は、縫合である。第四ファスナー片３６は、面ファスナーのループ面（雌）である。
【００２４】
第一ファスナー片２６がループ面であり、第二ファスナー片３０がフック面であり、第三ファスナー片３２がループ面であり、第四ファスナー片３６がフック面であってもよい。
【００２５】
プレーヤーがこの手袋２を装着するときは、手袋２が図３に示された状態にされる。プレーヤーは、開口３８から手を手袋２に入れる。次にプレーヤーは、図２における右上方向又は右方向に第一ベルト１２を引っ張り、これをインサイド部１４に押しつける。この押しつけにより、第一ファスナー片２６と第二ファスナー片３０とが係合する。この係合により、第一ベルト１２がインサイド部１４に固定される。第一ファスナー片２６と第二ファスナー片３０とは、面ファスナーを構成する。押しつけ後の手袋２が、図７に示されている。
【００２６】
次にプレーヤーは、図７における右方向（又は右下方向）に第二ベルト２０を引っ張り、これをインサイド部１４に押しつける。この押しつけにより、第四ファスナー片３６が第一ファスナー片２６と係合し、かつ第三ファスナー片３２とも係合する。これらの係合により、第二ベルト２０がインサイド部１４に固定される。第一ファスナー片２６と第四ファスナー片３６とは、面ファスナーを構成する。第三ファスナー片３２と第四ファスナー片３６とも、面ファスナーを構成する。押しつけ後の手袋２が、図８及び９に示されている。図８では、第一ベルト１２が、第二ベルト２０に覆われている。第一ベルト１２の一部が、第二ベルト２０から露出してもよい。
【００２７】
図９に示された状態では、前述の通り、第四ファスナー片３６は、第一ファスナー片２６のみならず、第三ファスナー片３２とも係合している。換言すれば、第二ベルト２０は、直接にインサイド部１４に固定されると共に、第一ベルト１２を介してもインサイド部１４に固定されている。従って、第二ベルト２０とインサイド部１４との固定は、堅固である。この第二ベルト２０は、スイング中にインサイド部１４から剥がれにくい。
【００２８】
前述の通り、プレーヤーがこの手袋２を装着するときは、第一ベルト１２はアウトサイドからインサイドに向かって巻かれ、第二ベルト２０もアウトサイドからインサイドに向かって巻かれる。両ベルトの巻き方向が同一なので、この手袋２を装着する動作は容易である。
【００２９】
図３から明らかなように、第一ファスナー片２６は、第二ファスナー片３０よりも大きい。従って、図７に示されるように、第二ファスナー片３０が第一ファスナー片２６と係合している状態でも、第一ファスナー片２６の全面が第二ファスナー片３０に覆われることがない。第二ファスナー片３０が第一ファスナー片２６と係合している状態でも、第一ファスナー片２６の一部は、露出している。換言すれば、第一ファスナー片２６には、第二ファスナー片３０と係合していない部分が存在する。
【００３０】
図２から明らかなように、第四ファスナー片３６は、第三ファスナー片３２よりも大きい。従って、第四ファスナー片３６が第三ファスナー片３２と係合している状態でも、第四ファスナー片３６の全面が第三ファスナー片３２に覆われることがない。第四ファスナー片３６のうち第三ファスナー片３２と係合していない部分は、第一ファスナー片２６のうち第二ファスナー片３０と係合していない部分と係合しうる。
【００３１】
第一ファスナー片２６と第四ファスナー片３６とが十分な面積で係合しうるとの観点から、第一ファスナー片２６の面積Ｓ１と第二ファスナー片３０の面積Ｓ２との比（Ｓ１／Ｓ２）は２．０以上が好ましく、３．０以上がより好ましく、４．０以上が特に好ましい。第一ファスナー片２６と第二ファスナー片３０とが十分な面積で係合しうるとの観点から、この比（Ｓ１／Ｓ２）は１０．０以下が好ましく、９．０以下がより好ましく、８．０以下が特に好ましい。
【００３２】
第一ファスナー片２６と第四ファスナー片３６とが十分な面積で係合しうるとの観点から、第四ファスナー片３６の面積Ｓ４と第三ファスナー片３２の面積Ｓ３との比（Ｓ４／Ｓ３）は２．０以上が好ましく、３．０以上がより好ましく、４．０以上が特に好ましい。第三ファスナー片３２と第四ファスナー片３６とが十分な面積で係合しうるとの観点から、この比（Ｓ４／Ｓ３）は１０．０以下が好ましく、９．０以下がより好ましく、８．０以下が特に好ましい。
【００３３】
図２及び３から明らかなように、指からリストに向かう方向（図中の上から下に向かう方向）において、第一ベルト１２の位置と第二ベルト２０の位置とは、異なってる。第一ベルト１２の位置は第二ベルト２０の位置に比べて概してリスト寄りであり、第二ベルト２０の位置は第一ベルト１２の位置に比べて概して指寄りである。なお、両者の位置は、部分的には重なっている。
【００３４】
従来のシングルベルトタイプの手袋が有するベルトは、図２の手袋２の第二ベルト２０に相当する。一方、本発明に係る手袋２は、この第二ベルト２０に加えて、リスト寄りに位置する第一ベルト１２を有している。この第一ベルト１２がインサイド部１４に固定されることにより、プレーヤーの手のうち、リスト寄りの部分が、締め付けられる。この締め付けにより、プレーヤーのフィット感（ホールド感）が達成される。しかも、第一ベルト１２による締め付け方向と第二ベルト２０による締め付け方向とを異らせることも可能であり、この場合はフィット感がより高められる。この手袋２は、正確なショットに寄与しうる。
【００３５】
図２において矢印Ｌで示されているのは、第一ベルト１２のリスト寄り端と第二ベルト２０のリスト寄り端との距離である。距離Ｌは、指からリストに向かう方向において測定される。フィット感の観点から、距離Ｌは３ｍｍ以上が好ましく、５ｍｍ以上がより好ましく、８ｍｍ以上が特に好ましい。距離Ｌは、２５ｍｍ以下が好ましい。
【００３６】
第一ベルト１２のベース２８は、伸縮性素材から形成されている。この第一ベルト１２がインサイド部１４に固定されているとき、ベース２８は伸長している。このベース２８には、張力がかかっている。このベース２８により、手のうちリストに近い部分が締め付けられる。この手袋２は、フィット感に極めて優れる。
【００３７】
このベース２８が伸縮性素材から形成されており、かつ第二ファスナー片３０の面積Ｓ２が第一ファスナー片２６の面積Ｓ１よりも小さいので、プレーヤーは、第一ファスナー片２６の任意の位置に第二ファスナー片３０を係合させることができる。この係合位置の調整により、ベース２８の張力が調整されうる。張力の調整は、第一ベルト１２による手への過剰な圧迫を抑制する。
【００３８】
フィット感の観点から、ベース２８の引張り荷重は１５Ｎ以下が好ましく、１２Ｎ以下がより好ましく、１０Ｎ以下が特に好ましい。この引張り荷重は、０．２Ｎ以上が好ましく、０．３Ｎ以上がより好ましく、０．５以上が特に好ましい。引張り荷重は、引張り試験機によって測定されうる。試験片は、短冊状である。この試験片の幅は１０ｍｍであり、長さは１００ｍｍである。引張り速度は、３００ｍｍ／ｍｉｎである。伸長率は、１０％である。試験片は、ベース２８の原反から切り出される。試験は、温度が２５℃であり湿度が６５％の室内環境下で行われる。原反の伸縮性に方向性がある場合、最も引張り荷重が小さい方向と、これに直交する方向とにおいて、測定がなされる。これらの測定結果が平均されて、引張り荷重が算出される。
【００３９】
プレーヤーがこの手袋２を脱ぐときは、まず、図８に示された状態にて、第二ベルト２０をインサイド部１４から引き剥がす。次に、図７に示された状態にて、第一ベルト１２をインサイド部１４から引き剥がす。これらの動作は、煩わしくない。第一ファスナー片２６と第二ファスナー片３０との係合力よりも、第三ファスナー片３２と第四ファスナー片３６との係合力が強く設定されれば、第二ベルト２０をインサイド部１４から引き剥がすのみで、同時に第一ベルト１２もインサイド部１４から引き剥がされうる。
【００４０】
本実施形態では、第一ベルト１２のインサイド部１４への係止は、面ファスナーによって達成されている。面ファスナー以外のファスナーで、第一ベルト１２の係止が達成されてもよい。第二ベルト２０のインサイド部１４への係止は、面ファスナーによって達成されている。面ファスナー以外のファスナーで、第二ベルト２０の係止が達成されてもよい。面ファスナー以外のファスナーとして、ボタン、チャック、ホック、バックル等が例示される。
【実施例】
【００４１】
以下、実施例によって本発明の効果が明らかにされるが、この実施例の記載に基づいて本発明が限定的に解釈されるべきではない。
【００４２】
［実施例］
図１−９に示された手袋を製作した。この手袋は、２つのベルトを有している。これらのベルトの巻き方向は、同一である。
【００４３】
［比較例１］
比較例１として、市販品の手袋を準備した。この手袋のベルトの数は、１である。
【００４４】
［比較例２］
比較例２として、市販品の手袋（品番「ＧＧＧ−Ｓ００９」）を準備した。この手袋は、２つのベルトを有している。これらのベルトの巻き方向は、異なっている。
【００４５】
［比較例３］
比較例３として、市販品の手袋（品番「５ＭＪＭ１４０１」）を準備した。この手袋は、２つのベルトを有している。これらのベルトの巻き方向は、異なっている。
【００４６】
［比較例４］
比較例４として、市販品の手袋（品番「５ＭＪＭＬ６０１」）を準備した。この手袋は、２つのベルトを有している。これらのベルトの巻き方向は、異なっている。
【００４７】
［比較例５］
特開２００７−２３４１３公報の図１０−１５に開示された手袋に類似する手袋を製作した。この手袋は、２つのベルトを有している。これらのベルトの巻き方向は、同一である。
【００４８】
［官能評価］
各手袋を１０名のプレーヤーに着用させ、ゴルフクラブでゴルフボールを打撃させた。これらのプレーヤーから、フィット感、装着の容易性及び剥離しにくさを聞き取った。そして、優れていると回答したプレーヤーの数に基づき、下記の基準に従って格付けした。
Ａ：８人以上
Ｂ：４人以上７人以下
Ｃ：３人以下
この結果が、下記の表１に示されている。
【００４９】
【表１】
2017196275.tif 000003
【００５０】
表１に示されるように、実施例の手袋は、全ての項目において優れている。この評価結果から、本発明の優位性は明らかである。
【産業上の利用可能性】
【００５１】
本発明に係る手袋は、ゴルフコースでのプレーに適している。この手袋はさらに、ドライビングレンジでのプラクティスにも適している。
【符号の説明】
【００５２】
２・・・ゴルフ用手袋
４・・・指部
６・・・掌部
８・・・甲部
１２・・・第一ベルト
１４・・・インサイド部
１６・・・アウトサイド部
１８・・・切れ込み
２０・・・第二ベルト
２６・・・第一ファスナー片
２８・・・ベース
３０・・・第二ファスナー片
３２・・・第三ファスナー片
３６・・・第四ファスナー片
【図１】
2017196275.tif 000004
【図２】
2017196275.tif 000005
【図３】
2017196275.tif 000006
【図４】
2017196275.tif 000007
【図５】
2017196275.tif 000008
【図６】
2017196275.tif 000009
【図７】
2017196275.tif 000010
【図８】
2017196275.tif 000011
【図９】
2017196275.tif 000012